【手続補正書】
【提出日】平成16年3月30日(2004.3.30)
【手続補正１】
【補正対象書類名】明細書
【補正対象項目名】００２３
【補正方法】変更
【補正の内容】
【００２３】
Ｙ軸ボード３０は、図３、図４で後述するように、３次元クロスバーネットワークのＺ座標値毎に、Ｘ座標と対応してＬ個ずつ用意され、それぞれボードアドレスとして特定のＸ、Ｚ座標値が割り当てられている。各Ｙ軸ボードには、Ｙ軸クロスバースイッチ３１と、３次元クロスバーネットワークのＹ座標と対応したＭ個のスイッチングＬＳＩ：３２−１〜３２−Ｍとが搭載されている。
本実施例において、各スイッチングＬＳＩ：３２は、Ｘ軸、Ｙ軸のクロスバースイッチ間でＺ軸クロスバースイッチ方向にパケットを分岐し、分岐パケットについて光伝送のためのインタフェース変換を行うためのものであり、以下の説明では、インタフェース変換ＬＳＩと呼ぶことにする。


【手続補正２】
【補正対象書類名】明細書
【補正対象項目名】００２４
【補正方法】変更
【補正の内容】
【００２４】
Ｘ軸クロスバースイッチ２１から入出力線２００［ｉ，ｙ，ｚ］に送出されたパケットは、Ｘ、Ｚ座標値［ｉ，ｚ］をボードアドレスとするＹ軸ボード３０の第ｙ番目のインタフェース変換ＬＳＩ：３２−ｙに入力される。上記インタフェース変換ＬＳＩ：３２−ｙは、入出力配線２００［ｉ，ｙ，ｚ］からの受信パケットの宛先アドレスをチェックし、Ｙ軸上でのスイッチングを必要としないパケット、即ち、宛先Ｙ座標値ｊが上記インタフェース変換ＬＳＩ：３２−ｙのＹ座標ｙに一致したパケットは、レーザー発光素子３３Ｔ−ｙと受光素子３３Ｒ−ｙとからなる光モジュール３３−ｙに接続された入出力線３２０−ｙ（＝３２０−ｊ）に送出し、Ｙ軸上でのスイッチングを要するパケット、すなわち、宛先Ｙ座標値ｊがインタフェース変換ＬＳＩのＹ座標値ｙに一致しないパケットは、Ｙ軸クロスバースイッチ３１に接続された入出力線３１０−ｙに出力する。


【手続補正３】
【補正対象書類名】明細書
【補正対象項目名】００２５
【補正方法】変更
【補正の内容】
【００２５】
入出力線３１０−ｙに出力されたパケットは、Ｙ軸クロスバースイッチ３１によって、宛先Ｙ座標値ｊと対応した第ｊ番目のインタフェース変換ＬＳＩ：３２１―ｊにスイッチングされる。上記インタフェース変換ＬＳＩ：３２−ｊは、Ｙ軸クロスバースイッチ３１からの受信パケットについて宛先アドレスをチェックし、Ｚ軸上でのスイッチングを必要としないパケット、すなわち、宛先Ｚ座標値ｋがＹ軸ボードアドレスのＺ座標値ｚと一致したパケットについては、入出力線２００［ｉ，ｊ，ｚ］に出力し、Ｚ軸上でのスイッチングを要するパケットは、入出力回線３２０−ｊに出力する。
入出力線３２０−ｊに出力されたパケットは、レーザー発光素子３３Ｔ−ｊで光信号に変換され後、入出力線（光ファイバ）３００［ｉ，ｊ，ｚ］に送出される。上記入出力線（光ファイバ）３００［ｉ，ｊ，ｚ］は、ボードアドレスとしてＸ、Ｙ座標値［ｉ，ｊ］をもつＺ軸ボード４０に接続されている。


【手続補正４】
【補正対象書類名】明細書
【補正対象項目名】００２７
【補正方法】変更
【補正の内容】
【００２７】
Ｙ軸ボード３０上のインタフェース変換ＬＳＩ：３２とは異なり、Ｚ軸ボード４０上の各インタフェース変換ＬＳＩ：４２の入出力ポートは、Ｚ軸クロスバースイッチ側と光モジュール側の２つとなっている。このため、Ｙ軸ボード３０から入出力線（光ファイバ）３００［ｉ，ｊ，ｚ］に光信号として送出されたパケットは、Ｚ軸ボード４０側の受光素子４３Ｒ−ｚで電気信号に変換された後、無条件で入出力線４１０−ｚに転送され、Ｚ軸クロスバースイッチ４１に入力される。Ｚ軸クロスバースイッチ４１は、上記パケットを宛先Ｚ座標値ｋに対応した第ｋインタフェース変換ＬＳＩ：４２−ｋにスイッチングする。
上記第ｋインタフェース変換ＬＳＩ：４２−ｋは、Ｚ軸クロスバースイッチ４１からの入力パケットを入出力線４２０−ｋに転送する。従って、上記パケットは、レーザー発光素子４３Ｔ−ｋで光信号に変換された後、光ファイバ３００［ｉ，ｊ，ｋ］に送出される。


【手続補正５】
【補正対象書類名】明細書
【補正対象項目名】００３７
【補正方法】変更
【補正の内容】
【００３７】
Ｚ軸クロスバースイッチ４１でＺ軸方向のスイッチングを終えたパケットは、光ファイバ３００を介して受光素子３３Ｒに入力され、電気信号に変換された後、上記第３入出力ポート５１Ｃの入力ポートＩＮに入力される。入力ポートＩＮで受信されたパケットデータは、データ幅変換回路５９で８バイト幅に変換された後、同期化回路５８を経て、データバッファ５３Ｃに蓄積される。尚、同期化回路５８は、ＰＬＬ回路６０が発生する内部クロックに同期して動作している。


【手続補正６】
【補正対象書類名】明細書
【補正対象項目名】００５２
【補正方法】変更
【補正の内容】
【００５２】
図９において、符号Ａが付されたＸ軸クロスバースイッチ２１Ａ−１〜２１Ａ−Ｍ、Ｙ軸クロスバースイッチ３１Ａ、Ｚ軸クロスバースイッチ４１Ａ−１〜４１Ａ−Ｍは、第１クロスバーネットワークを構成し、符号Ｂが付されたＸ軸クロスバースイッチ２１Ｂ−１〜２１Ｂ−Ｍ、Ｙ軸クロスバースイッチ３１Ｂ、Ｚ軸クロスバースイッチ４１Ｂ−１〜４１Ｂ−Ｍは、第２クロスバーネットワークを構成している。上記Ｙ軸クロスバースイッチ３１Ａ、３１Ｂは、それぞれ図４に示したＹ軸ボード３０−１−１〜３０−Ｌ−Ｎのうちの１つに相当する。


【手続補正７】
【補正対象書類名】明細書
【補正対象項目名】００５４
【補正方法】変更
【補正の内容】
【００５４】
Ｙ軸クロスバースイッチ３１Ａ、３１Ｂは、それぞれＸ軸クロスバースイッチに接続するための第１の入出力ポート群と、Ｚ軸クロスバースイッチに接続するための第２の入出力ポート群を備え、第１の入出力ポート群は、入出力線２００によってＸ軸クロスバースイッチの入出力ポートに直結され、第２の入出力ポート群は、入出力線群３４０Ａまたは３４０Ｂによって、スイッチングＬＳＩ：８０−１〜８０−Ｍの第１または第２入出力ポートに接続される。
上記Ｙ軸クロスバースイッチ３１Ａ、３１Ｂでは、Ｘ軸クロスバースイッチから受信したパケットの宛先Ｙ座標に従ってＹ軸方向のスイッチングを行い、Ｚ軸方向またはネットワーク間スイッチングを要するパケットについては、スイッチングＬＳＩ側の出力ポートに送出し、これらのスイッチングを必要としないパケットについては、Ｘ軸クロスバースイッチ側の出力ポートに送出する。


【手続補正８】
【補正対象書類名】明細書
【補正対象項目名】００５７
【補正方法】変更
【補正の内容】
【００５７】
スイッチングＬＳＩ：８０を図９のクロスバーネットワークに適用する場合、インタフェースユニット８１Ａの入力パケット制御回路５４Ａで、入力ポートＩＮから入力された受信パケットのヘッダから宛先Ｚ座標値ｚと宛先ネットワーク識別子ｔを抽出し、予め記憶している固有のＺ座標値およびネットワーク識別子（この例ではＡ）と比較する。
宛先Ｚ座標値ｚと宛先ネットワーク識別子ｔの双方が固有値と不一致の場合は、第２クロスバーネットワーク用の光モジュール側のインタフェースユニット８１Ｄの出力制御回路５６Ｄにパケット出力許可要求を出し、出力許可信号を待って、データバッファ５３Ａから内部バス６３Ａにパケットを出力する。
宛先Ｚ座標値ｚが一致し、宛先ネットワーク識別子ｔが不一致の場合は、第２クロスバーネットワーク用のＸ軸クロスバースイッチ側のインタフェースユニット８１Ｂの出力制御回路５６Ｂに、宛先Ｚ座標値ｚが不一致で、宛先ネットワーク識別子ｔが一致した場合は、第１クロスバーネットワーク用の光モジュール側のインタフェースユニット８１Ｃの出力制御回路５６Ｃにパケット出力許可要求を出し、出力許可信号を待って、データバッファ５３Ａから内部バス６３Ａにパケットを出力する。


【手続補正９】
【補正対象書類名】図面
【補正対象項目名】図５
【補正方法】変更
【補正の内容】
【図５】
2001256204.tif 000001